(57)【要約】【課題】  本発明の目的とするところは、ユーザが３Ｄ映像認識程度を自己診断できるようなディスプレイ装置および３Ｄ映像認識診断方法を提供することにある。【解決手段】  ３Ｄ映像認識診断モードを提供するディスプレイ装置が開示される。ディスプレイ装置は、３Ｄ映像認識程度を診断するための３Ｄ診断テスト形状を表示するディスプレイ部と、３Ｄ診断テスト映像に対するユーザの認識程度を入力されるユーザインターフェース部と、ユーザインターフェース部を介して入力されたユーザの認識程度による結果値を出力するように制御する制御部とを含む。これにより、ユーザは３Ｄ映像認識程度を自己診断できるようになる。【選択図】図２
2012005125.tif 000002
【特許請求の範囲】
【請求項１】
３Ｄ映像認識診断モードを提供するディスプレイ装置において、
３Ｄ映像認識程度を診断するための３Ｄ診断テスト形状を表示するディスプレイ部と、
前記３Ｄ診断テスト映像に対するユーザの認識程度を入力されるユーザインターフェース部と、
前記ユーザインターフェース部を介して入力されたユーザの認識程度による結果値を出力するように制御する制御部と、
を含むディスプレイ装置。
【請求項２】
前記制御部は、
前記ユーザインターフェース部を介して入力されたユーザの認識程度による３Ｄ認識診断結果またはガイドコメントを含む報知メッセージを表示するように前記ディスプレイ部を制御することを特徴とする請求項１に記載のディスプレイ装置。
【請求項３】
前記制御部は、
前記ユーザインターフェース部を介して入力されたユーザ命令または予め設定されたイベントに従って、前記３Ｄ映像認識診断モードに進入するように制御することを特徴とする請求項１に記載のディスプレイ装置。
【請求項４】
前記３Ｄ診断テスト映像は、
左眼で認識可能な映像、右眼で認識可能な映像、および左眼および右眼で同時に認識可能な映像のうち少なくとも一つを含むことを特徴とする請求項１に記載のディスプレイ装置。
【請求項５】
前記制御部は、
前記ユーザインターフェース部を介して入力されたユーザ命令または予め設定されたイベントに従って、前記３Ｄ診断テスト形状を不完全に認識する場合に可能な形状を表示するように制御することを特徴とする請求項１に記載のディスプレイ装置。
【請求項６】
前記３Ｄ映像認識診断モードは、
眼の疲労度認識診断モードを含み、
眼の疲労度を診断するための３Ｄ診断テスト形状は、
両眼のうちいずれか一方の眼で認識可能な中心点を持つ予め設定された大きさの図形形状および他方の眼で認識可能な前記図形内に位置する記号形状を含むことを特徴とする請求項１に記載のディスプレイ装置。
【請求項７】
前記３Ｄ映像認識診断モードは、
鮮明度認識診断モードを含み、
鮮明度を診断するための３Ｄ診断テスト形状は、
両眼のうちいずれか一方の眼で認識可能な上側部に位置した図形形状、他方の眼で認識可能な下側部に位置した図形形状および両眼で同時に認識可能な中間部に位置したライン形状を含むことを特徴とする請求項１に記載のディスプレイ装置。
【請求項８】
前記３Ｄ映像認識診断モードは、
立体感を感じるか否かを判断するためのＣｏａｒｓｅ  ａｎｄ  Ｆｉｎｅ検査モード、左右眼映像に対する両眼の位置が正確であるか否かを判断するための分離斜位検査モード、水平および垂直斜位を同時に検査するための連合斜位検査モード、左右眼網膜の大きさまたは形が同一であるか否かを検査するための不等像視検査モードおよび遠距離および近距離から融像および抑制の有無を検査するための両眼融合検査モードのうち、少なくとも一つを含むことを特徴とする請求項１に記載のディスプレイ装置。
【請求項９】
前記３Ｄ映像認識診断モードは、
両眼の視力差を判断するための両眼視力差判断モード、距離知覚認識可能力を判断するための距離知覚能力判断モード、および潜伏性斜位の有無を判断するための潜伏性斜位判断モードのうち、少なくとも一つを含むことを特徴とする請求項１に記載のディスプレイ装置。
【請求項１０】
前記３Ｄ診断テスト形状は、予め保存された映像または外部から受信された映像であることを特徴とする請求項１に記載のディスプレイ装置。
【請求項１１】
３Ｄ映像認識診断モードを提供する３Ｄ映像認識診断方法において、
３Ｄ映像認識程度を診断するための３Ｄ診断テスト形状を表示するステップと、
前記３Ｄ診断テスト映像に対するユーザの認識程度を入力されるステップと、
前記入力されたユーザの認識程度による結果値を出力するステップと、
を含む３Ｄ映像認識診断方法。
【請求項１２】
前記結果値を出力するステップは、
前記入力されたユーザの認識程度による３Ｄ認識診断結果またはガイドコメントを含む報知メッセージを表示することを特徴とする請求項１１に記載の３Ｄ映像認識診断方法。
【請求項１３】
ユーザ命令または予め設定されたイベントに従って、前記３Ｄ映像認識診断モードに進入するステップを更に含むことを特徴とする請求項１１に記載の３Ｄ映像認識診断方法。
【請求項１４】
前記３Ｄ診断テスト映像は、
左眼で認識可能な映像、右眼で認識可能な映像、および左眼および右眼で同時に認識可能な映像のうち少なくとも一つを含むことを特徴とする請求項１１に記載の３Ｄ映像認識診断方法。
【請求項１５】
ユーザ命令または予め設定されたイベントに従って、前記３Ｄ診断テスト形状を不完全に認識する場合に可能な形状を表示するステップを更に含むことを特徴とする請求項１１に記載の３Ｄ映像認識診断方法。
【発明の詳細な説明】
【技術分野】
【０００１】
本発明は、ディスプレイ装置およびその３Ｄ映像認識診断方法に関し、より詳細には、３Ｄ映像を表示することのできるディスプレイ装置およびその３Ｄ映像認識診断方法に関する。
【背景技術】
【０００２】
３Ｄ立体映像技術は、情報通信、放送、医療、教育、訓練、軍事、ゲーム、アニメーション、仮想現実、ＣＡＤ、産業技術等、その応用分野が非常に多様であり、このような様々な分野で共通して必要とされる次世代の３Ｄ立体マルチメディア情報通信のコア基盤技術といえる。
【０００３】
一般的に、人間が知覚する立体感は、観察しようとする物体の位置による水晶体の厚さの変化度合い、両眼と対象物との角度の差、そして左右眼に見える対象物の位置および形の相違、対象物の運動によって生じる時差、その他に各種心理および記憶による効果等が複合的に作用して生じる。
【０００４】
その中でも、人の両眼が横方向に約６〜７ｃｍ程離れていることで生じる両眼時差(ｂｉｎｏｃｕｌａｒ  ｄｉｓｐａｒｉｔｙ)は、立体感において最も重要な要因といえる。即ち、両眼時差によって対象物に対する角度の差が生じたままモノを見るようになり、この差によってそれぞれの眼に入ってくるイメージが相互に異なる像を持つようになって、この二つの映像が網膜を通じて脳へと伝達されると、脳はこの二つの情報を正確に融合して本来の３Ｄ立体映像を感じることができるのである。
【０００５】
立体映像ディスプレイ装置としては、特殊眼鏡を使う眼鏡式と、特殊眼鏡を使わない非眼鏡式に分けられる。眼鏡式は、相互補色関係にある色フィルタを用いて映像を分離選択する色フィルタ方式、直交した偏光素子の組み合わせによる遮光効果を用いて左眼と右眼との映像を分離する偏光フィルタ方式および左眼映像信号と右眼映像信号とをスクリーンに投射する同期信号に対応して、左眼と右眼とを交互に遮断することで、立体感を感じられるようにするシャッターグラス方式が存在する。
【０００６】
上述のように、３Ｄ映像は両眼視を用いるため、両眼視が正常に備えられていなければ正常な視聴が不可能となる。従って、このような問題を事前に確認して、治療を誘導してユーザが３Ｄ映像を視聴可能な状態を維持するための方策が求められる。
【先行技術文献】
【特許文献】
【０００７】
【特許文献１】韓国特開第2001-0064749 号公報
【特許文献２】韓国特開第1995-0018495 号公報
【発明の概要】
【発明が解決しようとする課題】
【０００８】
そこで、本発明の目的とするところは、ユーザが３Ｄ映像認識程度を自己診断できるようなディスプレイ装置および３Ｄ映像認識診断方法を提供することにある。
【課題を解決するための手段】
【０００９】
前記目的を達成するための本発明に係る３Ｄ映像認識診断モードを提供するディスプレイ装置は、３Ｄ映像認識程度を診断するための３Ｄ診断テスト形状を表示するディスプレイ部と、前記３Ｄ診断テスト映像に対するユーザの認識程度を入力されるユーザインターフェース部と、前記ユーザインターフェース部を介して入力されたユーザの認識程度による結果値を出力するように制御する制御部とを含む。
【００１０】
なお、前記制御部は、前記ユーザインターフェース部を介して入力されたユーザの認識程度による３Ｄ認識診断結果またはガイドコメントを含む報知メッセージを表示するように前記ディスプレイ部を制御してよい。
【００１１】
なお、前記制御部は、前記ユーザインターフェース部を介して入力されたユーザ命令または予め設定されたイベントに従って、前記３Ｄ映像認識診断モードに進入するように制御してよい。
【００１２】
ここで、前記３Ｄ診断テスト映像は、左眼で認識可能な映像、右眼で認識可能な映像、および左眼および右眼で同時に認識可能な映像のうち少なくとも一つを含んでよい。
【００１３】
なお、前記制御部は、前記ユーザインターフェース部を介して入力されたユーザ命令または予め設定されたイベントに従って、前記３Ｄ診断テスト形状を不完全に認識する場合に可能な形状を表示するように制御してよい。
【００１４】
なお、前記３Ｄ映像認識診断モードは、眼の疲労度認識診断モードを含み、眼の疲労度を診断するための３Ｄ診断テスト形状は、両眼のうちいずれか一方の眼で認識可能な中心点を持つ予め設定された大きさの図形形状および他方の眼で認識可能な前記図形内に位置する記号形状を含んでよい。
【００１５】
ここで、前記３Ｄ映像認識診断モードは、鮮明度認識診断モードを含み、鮮明度を診断するための３Ｄ診断テスト形状は、両眼のうちいずれか一方の眼で認識可能な上側部に位置した図形形状、他方の眼で認識可能な下側部に位置した図形形状および両眼で同時に認識可能な中間部に位置したライン形状を含んでよい。
【００１６】
なお、前記３Ｄ映像認識診断モードは、立体感を感じるか否かを判断するためのＣｏａｒｓｅ  ａｎｄ  Ｆｉｎｅ検査モード、左右眼映像に対する両眼の位置が正確であるか否かを判断するための分離斜位検査モード、水平および垂直斜位を同時に検査するための連合斜位検査モード、左右眼網膜の大きさまたは形が同一であるか否かを検査するための不等像視検査モードおよび遠距離および近距離から融像および抑制の有無を検査するための両眼融合検査モードのうち、少なくとも一つを含んでよい。
【００１７】
なお、前記３Ｄ映像認識診断モードは、両眼の視力差を判断するための両眼視力差判断モード、距離知覚認識可能力を判断するための距離知覚能力判断モード、および潜伏性斜位の有無を判断するための潜伏性斜位判断モードのうち、少なくとも一つを含んでよい。
【００１８】
ここで、前記３Ｄ診断テスト形状は、予め保存された映像または外部から受信された映像であってよい。
【００１９】
一方、本発明の一実施形態に係る３Ｄ映像認識診断モードを提供する３Ｄ映像認識診断方法は、３Ｄ映像認識程度を診断するための３Ｄ診断テスト形状を表示するステップと、前記３Ｄ診断テスト映像に対するユーザの認識程度を入力されるステップと、前記入力されたユーザの認識程度による結果値を出力するステップとを含む。
【００２０】
ここで、前記結果値を出力するステップは、前記入力されたユーザの認識程度による３Ｄ認識診断結果またはガイドコメントを含む報知メッセージを表示することを含んでよい。
【００２１】
なお、ユーザ命令または予め設定されたイベントに従って、前記３Ｄ映像認識診断モードに進入するステップを更に含んでよい。
【００２２】
ここで、前記３Ｄ診断テスト映像は、左眼で認識可能な映像、右眼で認識可能な映像、および左眼および右眼で同時に認識可能な映像のうち少なくとも一つを含んでよい。
【００２３】
なお、ユーザ命令または予め設定されたイベントに従って、前記３Ｄ診断テスト形状を不完全に認識する場合に可能な形状を表示するステップを更に含んでよい。
【００２４】
この場合、前記３Ｄ診断テスト形状は、予め保存された映像または外部から受信された映像であってよい。
【図面の簡単な説明】
【００２５】
【図１】本発明の一実施形態に係る３Ｄ映像提供システムを示す図である。
【図２】本発明の一実施形態に係るディスプレイ装置の構成を示すブロック図である。
【図３Ａ】本発明の一実施形態に係る３Ｄ診断モード進入方法を説明するための図である。
【図３Ｂ】本発明の一実施形態に係る３Ｄ診断モード進入方法を説明するための図である。
【図４Ａ】本発明の一実施形態に係る３Ｄ診断テスト形状を説明するための図である。
【図４Ｂ】本発明の一実施形態に係る３Ｄ診断テスト形状を説明するための図である。
【図４Ｃ】本発明の一実施形態に係る３Ｄ診断テスト形状を説明するための図である。
【図４Ｄ】本発明の一実施形態に係る３Ｄ診断テスト形状を説明するための図である。
【図５Ａ】本発明の別の実施形態に係る３Ｄ診断テスト形状を説明するための図である。
【図５Ｂ】本発明の別の実施形態に係る３Ｄ診断テスト形状を説明するための図である。
【図５Ｃ】本発明の別の実施形態に係る３Ｄ診断テスト形状を説明するための図である。
【図６Ａ】本発明の多様な実施形態に係る３Ｄ診断テスト図形を示す図である。
【図６Ｂ】本発明の多様な実施形態に係る３Ｄ診断テスト図形を示す図である。
【図６Ｃ】本発明の多様な実施形態に係る３Ｄ診断テスト図形を示す図である。
【図６Ｄ】本発明の多様な実施形態に係る３Ｄ診断テスト図形を示す図である。
【図６Ｅ】本発明の多様な実施形態に係る３Ｄ診断テスト図形を示す図である。
【図７Ａ】本発明の多様な実施形態に係る３Ｄ診断テスト図形を示す図である。
【図７Ｂ】本発明の多様な実施形態に係る３Ｄ診断テスト図形を示す図である。
【図７Ｃ】本発明の多様な実施形態に係る３Ｄ診断テスト図形を示す図である。
【図７Ｄ】本発明の多様な実施形態に係る３Ｄ診断テスト図形を示す図である。
【図８Ａ】本発明の別の実施形態に係る情報提供方法を説明するための図である。
【図８Ｂ】本発明の別の実施形態に係る情報提供方法を説明するための図である。
【図９】本発明の一実施形態に係る３Ｄ映像認識診断方法を説明するためのフローチャートである。
【発明を実施するための形態】
【００２６】
以下に添付図面を参照しながら、本発明の好適な実施の形態についてより詳細に説明する。
【００２７】
図１は、本発明の一実施形態に係る３Ｄ映像提供システムを示す図である。図１に示すように、３Ｄ映像を画面に表示するためのディスプレイ装置１００および３Ｄ映像を視聴するための３Ｄグラス２００で構成されている。
【００２８】
ディスプレイ装置１００は、３Ｄ映像を表示するように実現できる。例えば、２Ｄ映像または３Ｄ映像を表示するように実現できる。
【００２９】
ディスプレイ装置１００が２Ｄ映像を表示する場合、既存の２Ｄディスプレイ装置と同様の方法を用いることができ、３Ｄ映像を表示する場合、カメラなどの撮影装置から受信された３Ｄ映像またはカメラによって撮影されて放送局で編集／加工された後、放送局から送出された３Ｄ映像を受信し、受信された３Ｄ映像を処理した後にそれを画面に表示することができる。特に、ディスプレイ装置１００は３Ｄ映像のフォーマットを参照し、左眼映像と右眼映像とを加工し、加工された左眼映像と右眼映像とが時分割されて交互に表示されるようにすることができる。
【００３０】
３Ｄグラス２００は、アクティブタイプのシャッターグラス（Ｓｈｕｔｔｅｒ  ｇｌａｓｓ）で実現できる。即ち、シャッターグラスがディスプレイ装置１００から伝達される左／右映像信号をコントローラチップが認識して液晶（Ｌｉｑｕｉｄ  Ｃｒｙｓｔａｌ）を素早く開閉しながら映像を通過させたり、遮断する方式で両眼時差を生じさせる方式が用いられることができる。
【００３１】
特に、３Ｄグラス２００はディスプレイ装置１００から同期信号を受信するためのＩＲ受信部（Ａ）を含んでよい。
【００３２】
ＩＲ受信部（Ａ）はディスプレイ装置１００から伝送される同期信号を受信するＩＲセンサー部（図示せず）および同期信号を透過させてＩＲセンサー部（図示せず）に伝達し、ノイズ（Ｎｏｉｓｅ）光などのような外部光はＩＲセンサー部（図示せず）以外の方向に透過させるウィンドウ部（図示せず）を含んでよい。その他のＩＲ受信部（Ａ）の細部構成については図面を参考に後述する。
【００３３】
一方、本発明の一実施形態に係る映像提供システムは、３Ｄ映像を生成するためのカメラ（図示せず）を更に含んでよい。
【００３４】
カメラ（図示せず）は３Ｄ映像を生成するための撮影装置の一種として、ユーザの左眼に提供することを目的として撮影された左眼映像と、ユーザの右眼に提供することを目的として撮影された右眼映像を生成する。即ち、３Ｄ映像は左眼映像と右眼映像とで構成され、このような左眼映像と右眼映像とがユーザの左眼と右眼にそれぞれ交互に提供され、両眼時差による立体感が生じるようになる。
【００３５】
これのために、カメラ（図示せず）は左眼映像を生成するための左眼カメラと、右眼映像を生成するための右眼カメラとで構成され、左眼カメラと右眼カメラとの間隔は、人間の両目間の離隔間隔から考慮されるようになる。
【００３６】
カメラ（図示せず）は、撮影された左眼映像と右眼映像とをディスプレイ装置１００に伝達する。特に、カメラ（図示せず）がディスプレイ装置１００に伝達する左眼映像と右眼映像は、一つのフレームに左眼映像および右眼映像のうち一方の映像のみで構成されたフォーマットで伝達されたり、一つのフレームに左眼映像と右眼映像とが両方含まれるように構成されたフォーマットで伝達されることができる。
【００３７】
カメラ（図示せず）は多様な３Ｄ映像のフォーマットのうち一つのフォーマットを予め決定し、決定されたフォーマットにより３Ｄ映像を生成してディスプレイ装置１００に伝達することができる。
【００３８】
一方、上述の説明では、３Ｄグラス２００が必須構成であると説明したが、３Ｄグラス２００無しに３Ｄ映像を視聴することのできるディスプレイ装置にも本発明が適用できることがいうまでもない。
【００３９】
以下では、本発明に係る３次元メガネの構成について、詳細に説明する。
【００４０】
図２は、本発明の一実施形態に係るディスプレイ装置の構成を示すブロック図である。
【００４１】
図２に示すように、本ディスプレイ装置１００は、映像受信部１１０と、映像処理部１２０と、ディスプレイ部１３０と、制御部１４０と、保存部１５０およびユーザインターフェース部１６０を含む。
【００４２】
映像受信部１１０は、放送局または衛星から有線または無線で受信される２Ｄまたは３Ｄ映像信号を受信して復調する。なお、映像受信部１１０は、カメラなどの外部機器と接続されて外部機器から３Ｄ映像を入力されることができる。外部機器は、無線で接続されたりＳ−Ｖｉｄｅｏ、コンポーネント、コンポジット、Ｄ−Ｓｕｂ、ＤＶＩ、ＨＤＭＩなどのインターフェースを介して有線で接続され得る。一方、２Ｄ映像処理方法は、当業者に自明な事項であるため、以下では３Ｄ映像処理方法に着目して説明する。
【００４３】
上述のように、３Ｄ映像は少なくとも一つのフレームで構成された映像として、一つの映像フレームに左眼映像と右眼映像とが含まれたり、各フレームが左眼映像または右眼映像で構成された映像のことを意味する。即ち、３Ｄ映像は、多様な３Ｄフォーマットのうち一つによって生成された映像である。
【００４４】
従って、映像受信部１１０に受信される３Ｄ映像は多様なフォーマットによることができ、特に、一般的なトップ−ボトム（ｔｏｐ−ｂｏｔｔｏｍ）方式、サイドバイサイド（ｓｉｄｅ  ｂｙ  ｓｉｄｅ）方式、水平インターリーブ（ｈｏｒｉｚｏｎｔａｌ  ｉｎｔｅｒｌｅａｖｅ）方式、垂直インターリーブ（ｖｅｒｔｉｃａｌ  ｉｎｔｅｒｌｅａｖｅ）方式、またはチェッカーボード（ｃｈｅｃｋｅｒ  ｂｏａｒｄ）方式、シーケンシャルフレーム（ｓｅｑｕｅｎｔｉａｌ  ｆｒａｍｅ）のうち、いずれか一つによるフォーマットでもよい。
【００４５】
映像受信部１１０は、受信された２Ｄ映像または３Ｄ映像を映像処理部１２０に伝達する。
【００４６】
映像処理部１２０は、映像受信部１１０から受信された２Ｄ映像または３Ｄ映像に対してビデオデコーディング、フォーマット分析、ビデオスケーリングなどの信号処理およびＧＵＩ（Ｇｒａｐｈｉｃ  Ｕｓｅｒ  Ｉｎｔｅｒｆａｃｅ）付加などの作業を行う。
【００４７】
特に、映像処理部１２０は、映像受信部１１０に入力された２Ｄ映像または３Ｄ映像のフォーマットを用いて、一つの画面の大きさ（例えば、１９２０＊１０８０）に該当する左眼映像と右眼映像とをそれぞれ生成する。
【００４８】
例えば、３Ｄ映像のフォーマットが、トップ−ボトム（ｔｏｐ−ｂｏｔｔｏｍ）方式、サイドバイサイド（ｓｉｄｅ  ｂｙ  ｓｉｄｅ）方式、水平インターリーブ（ｈｏｒｉｚｏｎｔａｌ  ｉｎｔｅｒｌｅａｖｅ）方式、垂直インターリーブ（ｖｅｒｔｉｃａｌ  ｉｎｔｅｒｌｅａｖｅ）方式、またはチェッカーボード（ｃｈｅｃｋｅｒ  ｂｏａｒｄ）方式、シーケンシャルフレーム（ｓｅｑｕｅｎｔｉａｌ  ｆｒａｍｅ）によるフォーマットである場合、映像処理部１２０は各映像フレームで左眼映像部分と右眼映像部分とをそれぞれ抽出し、抽出された左眼映像と右眼映像とを拡大スケーリングまたは補間することで、ユーザに提供するための左眼映像と右眼映像とをそれぞれ生成するようになる。
【００４９】
なお、３Ｄ映像のフォーマットが一般的なフレームシーケンス方式である場合、映像処理部１２０は各フレームから左眼映像または右眼映像を抽出してユーザに提供するための準備を行なう。
【００５０】
一方、入力された３Ｄ映像のフォーマットに対する情報は、３Ｄ映像信号に含まれていても良く、含まれていなくても良い。
【００５１】
例えば、入力された３Ｄ映像のフォーマットに対する情報が、３Ｄ映像信号に含まれている場合、映像処理部１２０は３Ｄ映像を分析してフォーマットに対する情報を抽出し、抽出された情報によって受信された３Ｄ映像を処理するようになる。一方、入力された３Ｄ映像のフォーマットに対する情報が３Ｄ映像信号に含まれていない場合、映像処理部１２０はユーザによって入力されたフォーマットに従って受信された３Ｄ映像を処理したり、予め設定されたフォーマットに従って受信された３Ｄ映像を処理するようになる。
【００５２】
映像処理部１２０は抽出された左眼映像と右眼映像とを時分割して交互にディスプレイ部１３０に伝達する。即ち、映像処理部１２０は、「左眼映像（Ｌ１）→右眼映像（Ｒ１）→左眼映像（Ｌ２）→右眼映像（Ｒ２）→…」の時間的順番で左眼映像と右眼映像とをディスプレイ部１３０に伝達する。
【００５３】
ディスプレイ部１３０は、映像処理部１２０から出力される左眼映像と右眼映像とを交互に出力してユーザに提供する。
【００５４】
なお、ディスプレイ部１３０は、ユーザ命令または予め設定されたイベントに従って、３Ｄ映像認識程度を診断するための３Ｄ診断テスト形状を表示することができる。ここで、予め設定されたイベントは、３Ｄ映像視聴のためのイベントがある場合（３Ｄ映像視聴のためのユーザ命令入力など）、ディスプレイ装置１００に対するパワーオン時、３Ｄ映像視聴後予め設定された時間の経過時などであってよい。
【００５５】
一方、３Ｄ診断テスト映像は、左眼で認識可能な映像、右眼で認識可能な映像、および左眼および右眼で同時に認識可能な映像のうち少なくとも一つを含む形態であってよい。
【００５６】
なお、３Ｄ診断テスト映像は、予め保存されているか、別の通信方法（例えば、ＬＡＮ、インターネットなど）を通じて外部から受信されたものであってよい。
【００５７】
制御部１４０は、ユーザインターフェース部１６０から伝達されたユーザ命令または予め設定されたオプションに従ってディスプレイ装置１００の全体的な動作を制御する。
【００５８】
特に、制御部１４０は、映像受信部１１０および映像処理部１２０を制御し、３Ｄ映像が受信され、受信された３Ｄ映像が左眼映像と右眼映像とに分離され、分離された左眼映像と右眼映像とのそれぞれが一つの画面で表示できるような大きさでスケーリングまたは補間されるように制御する。
【００５９】
なお、制御部１４０は、ディスプレイ部１３０を制御し、ディスプレイ部１３０を介して提供される映像の偏光方向が左眼映像または右眼映像に一致するようにスイッチングされるようにすることができる。
【００６０】
保存部１５０は、ディスプレイ装置１００を動作させるために必要な各種プログラムなどが保存される保存媒体として、メモリ、ＨＤＤ（Ｈａｒｄ  Ｄｉｓｋ  Ｄｒｉｖｅ）などで実現可能である。例えば、保存部１５０は制御部１４０の動作実行のためのプログラムを保存するためのＲＯＭ、制御部１４０の動作実行によるデータを一時的に保存するためのＲＡＭなどを備えることができる。なお、各種参照データを保存するためのＥＥＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）などを更に備えてよい。
【００６１】
なお、保存部１５０は予め設定された３Ｄ診断テスト形状、診断結果によるユーザガイド事項などの関連データを保存することができる。
【００６２】
ユーザインターフェース部１６０は、リモコン、入力パネルなどの入力手段から受信されるユーザ命令を制御部１４０に伝達する。
【００６３】
なお、ユーザインターフェース部１６０は、３Ｄ診断テスト映像に対するユーザの認識程度を入力される機能を担う。
【００６４】
この場合、制御部１４０は、ユーザインターフェース部１６０を介して入力されたユーザ認識程度による結果値を出力するようにディスプレイ部１３０、音響出力部（図示せず）などを制御することができる。
【００６５】
ここで、結果値はユーザインターフェース部１６０を介して入力されたユーザの認識程度による３Ｄ認識診断結果またはガイドコメントを含む報知メッセージの形態で表示されることができる。または、場合によっては、音響出力部（図示せず）を介して音響の形態で出力されることも可能である。
【００６６】
なお、制御部１４０は、ユーザインターフェース部１６０を介して入力されたユーザ命令または予め設定されたイベントに従って３Ｄ映像認識診断モードに進入するように制御することができる。
【００６７】
ここで、３Ｄ映像認識診断モードは、眼の疲労度認識診断モードを含み、眼の疲労度を診断するための３Ｄ診断テスト形状は、両眼のうちいずれか一方の眼で認識可能な中心点を持つ予め設定された大きさの図形形状および他方の眼で認識可能な前記図形内に位置する記号形状を含んでよい。
【００６８】
なお、３Ｄ映像認識診断モードは、鮮明度認識診断モードを含み、鮮明度を診断するための３Ｄ診断テスト形状は、両眼のうちいずれか一方の眼で認識可能な上側部に位置した図形形状、他方の眼で認識可能な下側部に位置した図形形状および両眼で同時に認識可能な中間部に位置したライン形状を含んでよい。
【００６９】
なお、３Ｄ映像認識診断モードは、立体感を感じるか否かを判断するためのＣｏａｒｓｅ  ａｎｄ  Ｆｉｎｅ検査モード、左右眼映像に対する両眼の位置が正確であるか否かを判断するための分離斜位検査モード、水平および垂直斜位を同時に検査するための連合斜位検査モード、左右眼網膜の大きさまたは形が同一であるか否かを検査するための不等像視検査モードおよび遠距離および近距離から融像および抑制の有無を検査するための両眼融合検査モードのうち、少なくとも一つを含んでよい。
【００７０】
なお、３Ｄ映像認識診断モードは、両眼の視力差を判断するための両眼視力差判断モード、距離知覚認識可能力を判断するための距離知覚能力判断モード、および潜伏性斜位の有無を判断するための潜伏性斜位判断モードのうち、少なくとも一つを含んでよい。
【００７１】
ここで、３Ｄ診断テスト形状は、予め保存された映像または外部から受信された映像であってよい。
【００７２】
なお、制御部１４０は、ユーザインターフェース部１６０を介して入力されたユーザ命令または予め設定されたイベントに従って、３Ｄ診断テスト形状を不完全に認識する場合に可能な形状を表示するように制御することができる。このような形状は、予め保存されているか外部から受信されたものであってよい。なお、場合によっては、関連サーバなどを通じて提供されてよい。
【００７３】
一方、図面には示されていないが、本ディスプレイ装置１００は、ディスプレイ部１３０に出力される２Ｄまたは３Ｄ映像にオーバーラップされて表示されるＯＳＤ（Ｏｎ  Ｓｃｒｅｅｎ  Ｄｉｓｐｌａｙ）画面を生成する機能をＯＳＤ処理部（図示せず）を更に含んでよい。ここで、ＯＳＤ画面はディスプレイ画面上にメニュー画面、時間やチャネル番号などの文字や図形などを表示する画面にディスプレイ映像にオーバーラップされて表示されることができる。例えば、ユーザが所望する機能を複数のメニューから選択するための操作パネルやリモコンコントローラのような入力装置を操作することにより、ディスプレイ画面上にメインメニュー、サブメニューなどがＯＳＤ形態で表示されることができる。このようなメニューは、ディスプレイ装置から選択できるオプション項目を含んだり、ディスプレイ装置の機能を調整することのできる項目を含んでよい。
【００７４】
なお、ＯＳＤ処理部（図示せず）は、制御部１４０の制御によりＯＳＤ画面の２Ｄ／３Ｄ、透明度、色相、大きさ、形態および位置調整、ハイライト、アニメーション効果などの作業を行なうことができる。
【００７５】
なお、ＯＳＤ処理部（図示せず）は、予め設定されたオプション、予め設定されたイベントまたはユーザ命令に従って、ＯＳＤ画面を２Ｄ画面または３Ｄ画面で生成することができる。
【００７６】
制御部１４０は、ディスプレイ部１３０で３Ｄ映像が表示されると、ＯＳＤ画面の透明度を調整するように、ＯＳＤ処理部（図示せず）を制御することができる。
【００７７】
なお、制御部１４０は、ディスプレイ部１３０に表示される映像およびＯＳＤ画面のうち、少なくとも一つが３Ｄである場合、ＯＳＤ画面の透明度を調整するようにＯＳＤ処理部（図示せず）を制御することができる。
【００７８】
図３Ａおよび３Ｂは、本発明の一実施形態に係る３Ｄ診断モード進入方法を説明するための図である。
【００７９】
図３Ａに示すように、ユーザはＯＳＤメニューを通じて３Ｄ映像認識程度を診断するための３Ｄ映像ユーザ診断モードに進入できる。当該ＯＳＤメニューは予め設定されたイベントまたはユーザ命令に従って表示されることができる。
【００８０】
ここで、予め設定されたイベントは、３Ｄ映像視聴モードに進入する前、３Ｄ映像視聴後予め設定された時間経過時、当該装置のパワーオン時などであってよい。
【００８１】
図３Ｂに示すように、３Ｄ映像ユーザ診断モードへの進入を問い合わせる問い合わせウィンドウが表示されてよく、これを用いて３Ｄ映像ユーザ診断モードに進入してもよい。この場合、問い合わせウィンドウは、３Ｄ映像視聴のためのユーザ命令がある場合、予め設定されたオプションに従って表示されてよい。
【００８２】
図４Ａないし図４Ｄは、本発明の一実施形態に係る３Ｄ診断テスト形状を説明するための図である。
【００８３】
図４Ａは３Ｄメガネを着用した状態で、右眼のみで見られる形状を示し、図４Ｂは３Ｄメガネを着用した状態で、左眼のみで見られる形状を示す。
【００８４】
なお、図４Ｃは、立体映像表示装置に表示された３Ｄ形状であり、立体視を感じることのできる人の眼に見える形状を示す。
【００８５】
図４Ｄは、立体視を感じられない人の眼に見える形状を示す。
【００８６】
即ち、図４Ｃに示すように、立体映像表示装置に表示された３Ｄ形状が図４Ｄに示された形状のように見える場合、視聴者は立体視を感じることができないと判断してよい。これにより、視聴者は３Ｄ映像を認知できるかを自ら判断することができ、他人の３Ｄ映像認知程度も知ることができるようになる。
【００８７】
図５Ａないし図５Ｃは、本発明の別の実施形態に係る３Ｄ診断テスト形状を説明するための図である。
【００８８】
３Ｄ映像の視聴時、３Ｄ視覚状態を持続的に維持するためには、両眼視線の一致が正常でなければならない。この場合、両眼視線が持続的に楽に一致するためには、ＴＶ視聴距離で緊張（Ｔｏｎｉｃ）状態または視線が分離した状態で左右両眼の眼位がほぼ一致しなければならない。
【００８９】
従って、本発明の一実施形態に係る３Ｄ映像認識診断モードは、眼の疲労度認識診断モードを含み、眼の疲労度を診断するための３Ｄ診断テスト形状は、両眼のうちいずれかの一方の眼で認識可能な中心点を持つ予め設定された大きさの図形形状および他方の眼で認識可能な前記図形内に位置する記号形状を含んでよい。図５Ａないし図５Ｃは、一実施形態に係る眼の疲労度認識診断モードで提供され得る眼の疲労度認識診断のための３Ｄ診断テスト形状を示す。
【００９０】
図５Ａに示された目の疲労度３Ｄ診断テスト形状は、図５Ｂに示されたように、両眼にうちいずれか一方の眼で認識可能な・（ドット（ｄｏｔ））形態の中間点を持つ長方形（Ａ−１）および他方の眼で認識可能な＋形状（Ａ−２）を含む形態であってよい。一方、（３ｍ）視聴基準とする際、３Ｄ診断テスト形状は図５Ｃに示されたような数値を持つように実現できる。但し、標識の数値は、当業者の設計事項によって変更できる。例えば、全体の大きさは、距離に応じて異なり、視聴距離に比例するように実現できる。
【００９１】
一方、ユーザの視聴映像で、長方形の中心内の中心点基準で位置によって視聴者の疲労度を区分することができる。
【００９２】
具体的に、ユーザが３Ｄメガネを着用してＴＶ画面に現れた図５Ｃに示された形態を見る際、“＋”表示が長方形内の中心点を基準に基準から近いほど、視聴時の不便さを少なく感じると判断できる。なお、“＋”表示が四角表示から外れていると、自覚症状が激しいと判断できる。これにより、専門家に眼鏡の処方を受けた眼鏡を着用したあと、３ＤＴＶを視聴することを勧める。
【００９３】
図６Ａないし図６Ｅは、本発明の多様な実施形態に係る３Ｄ診断テスト図形を示す図である。
【００９４】
図６Ａに示された形状は、両眼視の精密検査を開始する前、立体感を感じるか否かを判断するためのＣｏａｒｓｅ  ａｎｄ  Ｆｉｎｅ検査モードに用いられる３Ｄ診断テスト形状であってよい。
【００９５】
図６Ｂに示された形状は、左右映像に対して眼の位置が正確であるか否かを検査するための３Ｄ診断テスト形状であってよい。
【００９６】
図６Ｃに示された形状は、水平および垂直斜位をともに検査するための３Ｄ診断テスト形状であってよい。
【００９７】
図６Ｄに示された形状は、左右眼の網膜像の大きさや形態が互いに同じでない状態を検査するための３Ｄ診断テスト形状であってよい。
【００９８】
図６Ｅに示された形状は、遠距離および近距離から融像および抑制の有無を検査するための３Ｄ診断テスト形状であってよい。
【００９９】
図７Ａないし図７Ｄは、本発明の多様な実施形態に係る３Ｄ診断テスト図形を示す図である。
【０１００】
図７Ａないし図７Ｄに示されたように、ユーザの視覚的の特性有無を検討できる映像を提供することができる。
【０１０１】
図７Ａに示された３Ｄ診断テスト形状は、左右両眼が同一の鮮明度を認識するか判断するための鮮明度診断モードから提供される形状として、両眼のうちいずれか一方の眼で認識可能な上側部に位置した図形形状、他方の眼で認識可能な下側部に位置した図形形状および両眼で同時に認識可能な中間部に位置したライン形状を含んでよい。
【０１０２】
両眼の鮮明度を診断する３Ｄ診断テスト形状は、図７Ａに示すように、両眼のうちいずれか一方の眼のみで認識可能な上側部の図形部分（Ａ）、他方の眼のみで認識可能な下側部の図形部分（Ｂ）および左右眼が同時に認識可能な図形部分（Ｃ）で構成されてよい。
【０１０３】
３Ｄ効果および３Ｄ鮮明度の認識に優れる場合、右眼のみで見ることのできる上側部と左眼のみで見ることのできる下側部が同様に鮮明に見えるようになる。
【０１０４】
なお、３Ｄ効果および３Ｄ鮮明度の認識に異常がある場合には、右眼のみで見ることのできる上側部と左眼のみで見ることのできる下側部とが均一でないか、片方または両眼が鮮明に見えないことがある。
【０１０５】
図７Ｂに示された３Ｄ診断テスト形状は両眼視力差の判断のためのテスト形状であり、図７Ｃに示された３Ｄ診断テスト形状は距離知覚認識可能力の判断のためのテスト形状であり、図７Ｄに示された３Ｄ診断テスト形状は潜伏性斜視（斜位）判断のためのテスト形状である。これにより、３Ｄ映像視聴時に副作用を多く感じる視覚特徴である乱視、斜位、斜視、両眼の視力差、距離知覚能力不足など判断できる映像を提供し、その映像を感じる程度を入力されて用いることができるようになる。
【０１０６】
図８Ａおよび図８Ｂは、本発明の別の実施形態に係る情報提供方法を説明するための図である。
【０１０７】
上述の多様な実施形態に係る３Ｄ診断テスト形状に対するユーザの認識程度をＵＩを通じて入力されることができる。
【０１０８】
その後、入力されたユーザ認識程度を総合判断して視聴者の視覚的な特性に対して視聴者に必要な内容について報知することができる。具体的に、入力された内容に対して分析して視聴者に必要な内容、危険程度、提案する視聴方法などを提供することができる。場合によって、ユーザは３Ｄメガネ内にプリズムレンズを付加する方式で３Ｄ視聴環境を改善することができるようになる。
【０１０９】
図８Ａおよび図８Ｂに示された構成は、ユーザに提供され得る情報の一例を示す。
【０１１０】
図９は、本発明の一実施形態に係る３Ｄ映像認識診断方法を説明するためのフローチャートである。
【０１１１】
図９に示された３Ｄ映像認識診断方法によると、ユーザ命令または予め設定されたイベントに従って３Ｄ映像認識程度を診断するための３Ｄ映像認識診断モードに進入すると（Ｓ９１０）、３Ｄ映像認識程度を診断するための３Ｄ診断テスト形状を表示する（Ｓ９２０）。
【０１１２】
続いて、３Ｄ診断テスト映像に対するユーザの認識程度を入力されて（Ｓ９３０）、入力されたユーザの認識程度による結果値を出力する（Ｓ９４０）。
【０１１３】
ここで、結果値を出力するステップは、入力されたユーザの認識程度による３Ｄ認識診断結果またはガイドコメントに含む報知メッセージを表示することができる。
【０１１４】
この場合、３Ｄ診断テスト映像は、左眼で認識可能な映像、右眼で認識可能な映像、および左眼および右眼で同時に認識可能な映像のうち少なくとも一つを含んでよい。
【０１１５】
なお、ユーザ命令または予め設定されたイベントに従って、３Ｄ診断テスト形状を不完全に認識する場合に、可能な形状を表示することができる。
【０１１６】
なお、３Ｄ映像認識診断モードは、眼の疲労度認識診断モードを含み、眼の疲労度を診断するための３Ｄ診断テスト形状は、両眼のうち一方の眼で認識可能な中心点を持つ予め設定された大きさの図形形状および他方の眼で認識可能な前記図形内に位置する記号形状を含んでよい。
【０１１７】
なお、３Ｄ映像認識診断モードは、鮮明度認識診断モードを含み、鮮明度を診断するための３Ｄ診断テスト形状は、両眼のうちいずれか一方の眼で認識可能な上側部に位置した図形形状、他方の眼で認識可能な下側部に位置した図形形状および両眼で同時に認識可能な中間部に位置したライン形状を含んでよい。
【０１１８】
なお、３Ｄ映像認識診断モードは、立体感を感じるか否かを判断するためのＣｏａｒｓｅ  ａｎｄ  Ｆｉｎｅ検査モード、左右眼映像に対する両眼の位置が正確であるか否かを判断するための分離斜位検査モード、水平および垂直斜位を同時に検査するための連合斜位検査モード、左右眼網膜の大きさまたは形が同一であるか否かを検査するための不等像視検査モードおよび遠距離および近距離から融像および抑制の有無を検査するための両眼融合検査モードのうち、少なくとも一つを含んでよい。
【０１１９】
なお、３Ｄ映像認識診断モードは、両眼の視力差を判断するための両眼視力差判断モード、距離知覚認識可能力を判断するための距離知覚能力判断モード、および潜伏性斜位の有無を判断するための潜伏性斜位判断モードのうち、少なくとも一つを含んでよい。
【０１２０】
ここで、３Ｄ診断テスト形状は、予め保存された映像または外部から受信された映像であってよい。
【０１２１】
これにより、ユーザは３Ｄ映像認識程度を自己診断することができ、診断結果による多様な情報を提供されることができるようになる。なお、他人の３Ｄ映像認識程度も把握できるようになる。従って、３Ｄ視聴環境を改善できるようになる。
【０１２２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
2012005125.tif 000003
【図２】
2012005125.tif 000004
【図３Ａ】
2012005125.tif 000005
【図３Ｂ】
2012005125.tif 000006
【図４Ａ】
2012005125.tif 000007
【図４Ｂ】
2012005125.tif 000008
【図４Ｃ】
2012005125.tif 000009
【図４Ｄ】
2012005125.tif 000010
【図５Ａ】
2012005125.tif 000011
【図５Ｂ】
2012005125.tif 000012
【図５Ｃ】
2012005125.tif 000013
【図６Ａ】
2012005125.tif 000014
【図６Ｂ】
2012005125.tif 000015
【図６Ｃ】
2012005125.tif 000016
【図６Ｄ】
2012005125.tif 000017
【図６Ｅ】
2012005125.tif 000018
【図７Ａ】
2012005125.tif 000019
【図７Ｂ】
2012005125.tif 000020
【図７Ｃ】
2012005125.tif 000021
【図７Ｄ】
2012005125.tif 000022
【図８Ａ】
2012005125.tif 000023
【図８Ｂ】
2012005125.tif 000024
【図９】
2012005125.tif 000025